(57)【特許請求の範囲】
【請求項１】
通信装置と、当該通信装置から情報を受信する通信端末と、当該通信装置と当該通信端末との間の通信を制御する通信制御サーバとを含んで構成され、当該通信端末が当該通信装置から情報を受信しようとする際に、情報の受信が制限される通信装置を示す受信制限リストに基づいて、当該通信装置からの情報の受信を当該通信制御サーバが制限する受信制限システムであって、
前記通信制御サーバは、
前記通信端末が前記通信装置から情報を受信しようとする際に、当該通信装置が前記受信制限リストに示されている場合に、当該情報の受信制限の解除を要求する要求信号を当該通信端末から受信する要求受信手段と、
前記要求受信手段が前記要求信号を受信した場合に、当該要求信号を受信した旨を示す受信信号を、前記通信端末の情報の受信を管理する管理端末に送信する信号送信手段と、
前記受信信号を受信した前記管理端末から、当該情報の受信制限の解除可否を示す解除可否信号を受信する解除可否受信手段と、
前記解除可否受信手段が受信した前記解除可否信号が当該情報の受信制限の解除を指示する場合に当該情報の受信制限を解除するとともに、前記解除可否受信手段が受信した前記解除可否信号が当該情報の受信制限を指示する場合に当該情報の受信制限を行う解除制御手段と、
前記要求受信手段が前記要求信号を受信した場合に、前記受信信号の前記管理端末への送信可否を問い合わせる問い合わせ信号を前記通信端末に送信する問い合わせ手段と、
前記問い合わせ信号を受信した前記通信端末から、前記受信信号の送信可否を示す送信可否信号を受信する送信可否受信手段と、
前記送信可否受信手段が受信した前記送信可否信号が前記受信信号の送信を指示する場合に、前記通信端末が前記受信制限リストに示された通信装置から受信しようとする情報に関する特徴を特徴情報として取得する特徴取得手段と、
を備え、
前記信号送信手段は、前記送信可否受信手段が受信した前記送信可否信号が前記受信信号の送信を指示する場合に、当該受信信号と、前記特徴取得手段が取得した前記特徴情報とを前記管理端末に送信し、
前記特徴取得手段が取得する前記特徴情報は、他の管理端末の数に対する、当該情報の受信制限の解除を指示する前記解除可否信号を送信した他の管理端末の数の割合を示す割合情報を、前記通信装置に対する評判として含む、
ことを特徴とする受信制限システム。
【請求項２】
前記通信端末は、
前記通信制御サーバから前記問い合わせ信号を受信した場合に、前記管理端末に対する伝達情報の入力を受け付ける入力受付手段と、
前記入力受付手段に入力された前記伝達情報と、前記送信可否信号とを前記通信制御サーバに送信する可否送信手段と、
を備え、
前記信号送信手段は、前記送信可否受信手段が受信した前記送信可否信号が前記受信信号の送信を指示する場合に、当該受信信号と、前記可否送信手段によって送信された前記伝達情報とを前記管理端末に送信し、
前記入力受付手段が入力を受け付ける前記伝達情報は、前記通信端末が前記通信装置から情報を受信するのが必要な理由を示すメッセージ情報を含む、
ことを特徴とする請求項１に記載の受信制限システム。
【請求項３】
通信端末が通信装置から情報を受信しようとする際に、情報の受信が制限される通信装置を示す受信制限リストに基づいて、当該通信装置からの情報の受信を制限する通信制御サーバであって、
前記通信端末が前記通信装置から情報を受信しようとする際に、当該通信装置が前記受信制限リストに示されている場合に、当該情報の受信制限の解除を要求する要求信号を当該通信端末から受信する要求受信手段と、
前記要求受信手段が前記要求信号を受信した場合に、当該要求信号を受信した旨を示す受信信号を、前記通信端末の情報の受信を管理する管理端末に送信する信号送信手段と、
前記受信信号を受信した前記管理端末から、当該情報の受信制限の解除可否を示す解除可否信号を受信する解除可否受信手段と、
前記解除可否受信手段が受信した前記解除可否信号が当該情報の受信制限の解除を指示する場合に当該情報の受信制限を解除するとともに、前記解除可否受信手段が受信した前記解除可否信号が当該情報の受信制限を指示する場合に当該情報の受信制限を行う解除制御手段と、
前記要求受信手段が前記要求信号を受信した場合に、前記受信信号の前記管理端末への送信可否を問い合わせる問い合わせ信号を前記通信端末に送信する問い合わせ手段と、
前記問い合わせ信号を受信した前記通信端末から、前記受信信号の送信可否を示す送信可否信号を受信する送信可否受信手段と、
前記送信可否受信手段が受信した前記送信可否信号が前記受信信号の送信を指示する場合に、前記通信端末が前記受信制限リストに示された通信装置から受信しようとする情報に関する特徴を特徴情報として取得する特徴取得手段と、
を備え、
前記信号送信手段は、前記送信可否受信手段が受信した前記送信可否信号が前記受信信号の送信を指示する場合に、当該受信信号と、前記特徴取得手段が取得した前記特徴情報とを前記管理端末に送信し、
前記特徴取得手段が取得する前記特徴情報は、他の管理端末の数に対する、当該情報の受信制限の解除を指示する前記解除可否信号を送信した他の管理端末の数の割合を示す割合情報を、前記通信装置に対する評判として含む、
ことを特徴とする通信制御サーバ。
【請求項４】
通信装置と、当該通信装置から情報を受信する通信端末と、当該通信装置と当該通信端末との間の通信を制御する通信制御サーバとを含んで構成され、当該通信端末が当該通信装置から情報を受信しようとする際に、情報の受信が制限される通信装置を示す受信制限リストに基づいて、当該通信装置からの情報の受信を当該通信制御サーバが制限する受信制限システムにおける受信制限方法であって、
前記通信端末が前記通信装置から情報を受信しようとする際に、当該通信装置が前記受信制限リストに示されている場合に、当該情報の受信制限の解除を要求する要求信号を当該通信端末から前記通信制御サーバが受信する要求受信ステップと、
前記要求受信ステップで前記要求信号を受信した場合に、当該要求信号を受信した旨を示す受信信号の、前記通信端末の情報の受信を管理する管理端末への送信可否を問い合わせる問い合わせ信号を前記通信端末に前記通信制御サーバが送信する問い合わせステップと、
前記問い合わせ信号を受信した前記通信端末から、前記受信信号の送信可否を示す送信可否信号を前記通信制御サーバが受信する送信可否受信ステップと、
前記送信可否受信ステップで受信した前記送信可否信号が前記受信信号の送信を指示する場合に、前記通信端末が前記受信制限リストに示された通信装置から受信しようとする情報に関する特徴を特徴情報として前記通信制御サーバが取得する特徴取得ステップと、
前記送信可否受信ステップで受信した前記送信可否信号が前記受信信号の送信を指示する場合に、当該受信信号と、前記特徴取得ステップで取得した前記特徴情報とを前記管理端末に前記通信制御サーバが送信する信号送信ステップと、
前記受信信号を受信した前記管理端末から、当該情報の受信制限の解除可否を示す解除可否信号を前記通信制御サーバが受信する解除可否受信ステップと、
前記解除可否受信ステップで受信した前記解除可否信号が当該情報の受信制限の解除を指示する場合に当該情報の受信制限を前記通信制御サーバが解除するとともに、前記解除可否受信ステップで受信した前記解除可否信号が当該情報の受信制限を指示する場合に当該情報の受信制限を前記通信制御サーバが行う解除制御ステップと、
を有し、
前記特徴取得ステップで取得する前記特徴情報は、他の管理端末の数に対する、当該情報の受信制限の解除を指示する前記解除可否信号を送信した他の管理端末の数の割合を示す割合情報を、前記通信装置に対する評判として含む、
ことを特徴とする受信制限方法。
【発明の詳細な説明】
【技術分野】
【０００１】
本発明は、通信端末が通信装置から情報を受信しようとする際に、情報の受信が制限される通信装置を示す受信制限リストに基づいて、当該通信装置からの情報の受信を制限する受信制限システム、通信制御サーバ、及び受信制限方法に関する。
【背景技術】
【０００２】
有害情報に対する判断能力が未発達な子供等のユーザによる、携帯電話機などの通信端末を用いた有害サイトへのアクセスや有害情報の取得が社会問題化している。このため、有害サイトへのアクセスや有害な情報の取得を防ぐことを目的として、このユーザによって行われる通信をこのユーザの保護者等によって制御することが行われている。
【０００３】
例えば、下記特許文献１に開示された通信管理システムでは、まず、保護者が使用する保護者用携帯電話機において、上記のユーザによる接続が許可される電子メールアカウントを規定するアカウントリストが作成されて、リスト管理サーバに送信される。この後で、このユーザが使用するユーザ用携帯電話機宛の電子メールをメールサーバが受信すると、リスト管理サーバは、アカウントリストに基づいて配信可否を判定する。
【０００４】
ここで、配信不可と判定された場合、リスト管理サーバが、メールサーバに対して、保護者用携帯電話機への上記の電子メールの送信を行わせる。そして、保護者用携帯電話機において、この受信メールをユーザ用携帯電話機に配信するか否かが上記の保護者によって判定される。ここで、この保護者によって配信可と判定された場合、メールサーバがユーザ用携帯電話機にこの電子メールを送信する。
【特許文献１】特開２００７−２５１５３５号公報
【発明の開示】
【発明が解決しようとする課題】
【０００５】
しかしながら、上記のリスト管理サーバにおいて、ユーザ用携帯電話機宛の電子メールが配信不可と判定されるたびに、ユーザにとって明らかに配信不要な内容の電子メールであっても、ユーザ用携帯電話機に配信するか否かの判定が上記の保護者に対して要求されるため、この保護者にとっては手間がかかってしまう。このように、携帯電話機などの通信端末が外部から取得しようとする情報を制限する際に、手間がかかって利便性が低いという問題がある。
【０００６】
そこで本発明の目的は、通信端末が外部から取得しようとする情報を制限する際の作業負担を軽減することである。
【課題を解決するための手段】
【０００７】
本発明に係る受信制限システムは、通信装置と、当該通信装置から情報を受信する通信端末と、当該通信装置と当該通信端末との間の通信を制御する通信制御サーバとを含んで構成され、当該通信端末が当該通信装置から情報を受信しようとする際に、情報の受信が制限される通信装置を示す受信制限リストに基づいて、当該通信装置からの情報の受信を当該通信制御サーバが制限する受信制限システムであって、通信制御サーバは、通信端末が受信制限リストに示された通信装置から情報を受信しようとする際に、当該情報の受信制限の解除を要求する要求信号を当該通信端末から受信する要求受信手段と、要求受信手段が要求信号を受信した場合に、当該要求信号を受信した旨を示す受信信号を、通信端末の情報の受信を管理する管理端末に送信する信号送信手段と、受信信号を受信した管理端末から、当該情報の受信制限の解除可否を示す解除可否信号を受信する解除可否受信手段と、解除可否受信手段が受信した解除可否信号が当該情報の受信制限の解除を指示する場合に当該情報の受信制限を解除するとともに、解除可否受信手段が受信した解除可否信号が当該情報の受信制限を指示する場合に当該情報の受信制限を行う解除制御手段と、を備えることを特徴とする。
【０００８】
これにより、上記の受信制限システムでは、まず、通信端末から要求受信手段が要求信号を受信した場合に、受信信号を管理端末に信号送信手段が送信し、受信信号を受信した管理端末から解除可否信号を解除可否受信手段が受信する。ここで、解除可否信号が当該情報の受信制限の解除を指示する場合に当該情報の受信制限を解除制御手段が解除する。一方、解除可否信号が当該情報の受信制限を指示する場合に当該情報の受信制限を解除制御手段が行う。このように、通信端末から要求受信手段が要求信号を受信した場合に、解除可否信号の指示内容によって、通信端末が外部から取得しようとする情報の制限の実行可否が決定される。このため、通信端末から要求情報が送信されず要求受信手段が要求信号を受信しない場合には、通信端末が外部から取得しようとする情報の制限の実行可否は判断されないことから、通信端末が外部から取得しようとする情報を制限する際の作業負担を軽減することができる。
【０００９】
更に、本発明では、通信制御サーバは、要求受信手段が要求信号を受信した場合に、受信信号の管理端末への送信可否を問い合わせる問い合わせ信号を通信端末に送信する問い合わせ手段と、問い合わせ信号を受信した通信端末から、受信信号の送信可否を示す送信可否信号を受信する送信可否受信手段と、を更に備え、信号送信手段は、送信可否受信手段が受信した送信可否信号が受信信号の送信を指示する場合に、当該受信信号を管理端末に送信するのも好ましい。これにより、問い合わせ手段から送信された問い合わせ信号を受信した通信端末から送信可否信号を送信可否受信手段が受信し、送信可否信号が受信信号の送信を指示する場合に、当該受信信号を管理端末に信号送信手段が送信する。このように、送信可否信号が受信信号の送信を指示する場合に、当該受信信号を管理端末に信号送信手段が送信する。このため、送信可否信号が受信信号の送信を指示しない場合には、受信信号は管理端末に送信されず、通信端末が外部から取得しようとする情報の制限の実行可否は判断されないことから、通信端末が外部から取得しようとする情報を制限する際の作業負担を、より軽減することができる。
【００１０】
更に、本発明では、通信端末は、通信制御サーバから問い合わせ信号を受信した場合に、管理端末に対する伝達情報の入力を受け付ける入力受付手段と、入力受付手段に入力された伝達情報と、送信可否信号とを通信制御サーバに送信する可否送信手段と、を備え、信号送信手段は、送信可否受信手段が受信した送信可否信号が受信信号の送信を指示する場合に、当該受信信号と、可否送信手段によって送信された伝達情報とを管理端末に送信するのも好ましい。これにより、送信可否信号が受信信号の送信を指示する場合に、当該受信信号と、可否送信手段によって送信された伝達情報とを管理端末に信号送信手段が送信する。このように、送信可否信号が受信信号の送信を指示する場合に、当該受信信号だけでなく伝達情報が管理端末に送信される。このため、管理端末の利用者は、この伝達情報の内容に基づいて、通信端末が外部から取得しようとする情報の制限の実行可否を判断することができる。
【００１１】
更に、本発明では、通信制御サーバは、送信可否受信手段が受信した送信可否信号が受信信号の送信を指示する場合に、通信端末が受信制限リストに示された通信装置から受信しようとする情報に関する特徴を特徴情報として取得する特徴取得手段を更に備え、信号送信手段は、送信可否受信手段が受信した送信可否信号が受信信号の送信を指示する場合に、当該受信信号と、特徴取得手段が取得した特徴情報とを管理端末に送信するのも好ましい。これにより、送信可否信号が受信信号の送信を指示する場合に、当該受信信号と特徴情報とを管理端末に信号送信手段が送信する。このように、送信可否信号が受信信号の送信を指示する場合に、当該受信信号だけでなく特徴情報が管理端末に送信される。このため、管理端末の利用者は、この特徴情報の内容に基づいて、通信端末が外部から取得しようとする情報の制限の実行可否を判断することができる。
【００１２】
更に、本発明では、特徴取得手段が取得する特徴情報は、他の管理端末の数に対する、当該情報の受信制限の解除を指示する解除可否信号を送信した他の管理端末の数の割合を割合情報として含むのも好ましい。このため、送信可否信号が受信信号の送信を指示する場合に、当該受信信号だけでなく、割合情報を含む特徴情報が管理端末に送信される。このため、管理端末の利用者は、この割合情報の内容に基づいて、通信端末が外部から取得しようとする情報の制限の実行可否を判断することができる。
【００１３】
本発明に係る通信制御サーバは、通信端末が通信装置から情報を受信しようとする際に、情報の受信が制限される通信装置を示す受信制限リストに基づいて、当該通信装置からの情報の受信を制限する通信制御サーバであって、通信端末が受信制限リストに示された通信装置から情報を受信しようとする際に、当該情報の受信制限の解除を要求する要求信号を当該通信端末から受信する要求受信手段と、要求受信手段が要求信号を受信した場合に、当該要求信号を受信した旨を示す受信信号を、通信端末の情報の受信を管理する管理端末に送信する信号送信手段と、受信信号を受信した管理端末から、当該情報の受信制限の解除可否を示す解除可否信号を受信する解除可否受信手段と、解除可否受信手段が受信した解除可否信号が当該情報の受信制限の解除を指示する場合に当該情報の受信制限を解除するとともに、解除可否受信手段が受信した解除可否信号が当該情報の受信制限を指示する場合に当該情報の受信制限を行う解除制御手段と、を備えることを特徴とする。
【００１４】
これにより、上記の通信制御サーバでは、まず、通信端末から要求受信手段が要求信号を受信した場合に、受信信号を管理端末に信号送信手段が送信し、受信信号を受信した管理端末から解除可否信号を解除可否受信手段が受信する。ここで、解除可否信号が当該情報の受信制限の解除を指示する場合に当該情報の受信制限を解除制御手段が解除する。一方、解除可否信号が当該情報の受信制限を指示する場合に当該情報の受信制限を解除制御手段が行う。このように、通信端末から要求受信手段が要求信号を受信した場合に、解除可否信号の指示内容によって、通信端末が外部から取得しようとする情報の制限の実行可否が決定される。このため、通信端末から要求情報が送信されず要求受信手段が要求信号を受信しない場合には、通信端末が外部から取得しようとする情報の制限の実行可否は判断されないことから、通信端末が外部から取得しようとする情報を制限する際の作業負担を軽減することができる。
【００１５】
本発明に係る受信制限方法は、通信装置と、当該通信装置から情報を受信する通信端末と、当該通信装置と当該通信端末との間の通信を制御する通信制御サーバとを含んで構成され、当該通信端末が当該通信装置から情報を受信しようとする際に、情報の受信が制限される通信装置を示す受信制限リストに基づいて、当該通信装置からの情報の受信を当該通信制御サーバが制限する受信制限システムにおける受信制限方法であって、通信端末が受信制限リストに示された通信装置から情報を受信しようとする際に、当該情報の受信制限の解除を要求する要求信号を当該通信端末から通信制御サーバが受信する要求受信ステップと、要求受信ステップで要求信号を受信した場合に、当該要求信号を受信した旨を示す受信信号を、通信端末の情報の受信を管理する管理端末に通信制御サーバが送信する信号送信ステップと、受信信号を受信した管理端末から、当該情報の受信制限の解除可否を示す解除可否信号を通信制御サーバが受信する解除可否受信ステップと、解除可否受信ステップで受信した解除可否信号が当該情報の受信制限の解除を指示する場合に当該情報の受信制限を通信制御サーバが解除するとともに、解除可否受信ステップで受信した解除可否信号が当該情報の受信制限を指示する場合に当該情報の受信制限を通信制御サーバが行う解除制御ステップと、を有することを特徴とする。
【００１６】
これにより、上記の受信制限方法では、まず、通信端末から要求受信ステップで要求信号を受信した場合に、受信信号を管理端末に信号送信ステップで送信し、受信信号を受信した管理端末から解除可否信号を解除可否受信ステップで受信する。ここで、解除可否信号が当該情報の受信制限の解除を指示する場合に当該情報の受信制限を解除制御ステップで解除する。一方、解除可否信号が当該情報の受信制限を指示する場合に当該情報の受信制限を解除制御ステップで行う。このように、通信端末から要求受信ステップで要求信号を受信した場合に、解除可否信号の指示内容によって、通信端末が外部から取得しようとする情報の制限の実行可否が決定される。このため、通信端末から要求情報が送信されず要求受信ステップで要求信号を受信しない場合には、通信端末が外部から取得しようとする情報の制限の実行可否は判断されないことから、通信端末が外部から取得しようとする情報を制限する際の作業負担を軽減することができる。
【発明の効果】
【００１７】
本発明によれば、通信端末が外部から取得しようとする情報を制限する際の作業負担を軽減することが可能になる。
【発明を実施するための最良の形態】
【００１８】
以下、図面を参照して、本発明に係る好適な実施形態について詳細に説明する。なお、図面の説明において、可能な場合には、同一要素には同一符号を付し、重複する説明を省略する。図１は、有害サイト等の有害情報に対する判断能力が未発達な子供等のユーザによる、携帯電話機などの通信端末を用いた有害サイトへのアクセスや有害情報の取得を防ぐための、受信制限システム１００の一例について説明する説明図である。受信制限システム１００は、ＷＥＢサイト構成装置１（通信装置）と、ユーザ用携帯端末２（通信端末）と、通信事業者サーバ３（通信制御サーバ）と、を含んで構成される。なお、受信制限システム１００に、保護者用携帯端末４（管理端末）が含まれていてもよい。
【００１９】
ここで、ユーザ用携帯端末２と通信事業者サーバ３との間、および、保護者用携帯端末４と通信事業者サーバ３との間には、端末とサーバとの間を通信接続させるための通信網（図示せず）が設けられている。通信網は、移動体通信網や、ＬＡＮ（すなわちローカルエリアネット）や、ＷＡＮ（すなわちインターネット）から構成されている網である。なお、保護者用携帯端末４一台に対して、対応するユーザ用携帯端末２は複数台あってもよいが、図１ではユーザ用携帯端末２が一台示されている。
【００２０】
ＷＥＢサイト構成装置１は、インターネットにおいて公開されるホームページや文字データや画像データ等が記憶されたサーバを構成するコンピュータ装置であり、いわゆるＷＥＢサイトを構成している。ＷＥＢサイト構成装置１は、通信接続を要求されたユーザ用携帯端末２に対する情報の送信や、このユーザ用携帯端末２からの情報の受信を行う。ＷＥＢサイト構成装置１の物理的構成および機能的構成については、後述する。
【００２１】
ユーザ用携帯端末２は、ＷＥＢサイト構成装置１に対して通信接続を要求して、このＷＥＢサイト構成装置１からの情報の受信や、このＷＥＢサイト構成装置１に対する情報の送信を行う端末である。ユーザ用携帯端末２は、通信事業者サーバ３との通信が可能な、例えば携帯電話機やＰＤＡやパソコンなどの端末装置である。ここでは、ユーザ用携帯端末２は、例えば、有害なＷＥＢサイト等の有害情報に対する判断能力が未発達な子供等のユーザに利用される。ユーザ用携帯端末２の物理的構成および機能的構成については、後述する。
【００２２】
通信事業者サーバ３は、ＷＥＢサイト構成装置１とユーザ用携帯端末２との間の通信を制御するサーバであり、例えば通信事業者等によって管理される。通信事業者サーバ３は、ユーザ用携帯端末２がＷＥＢサイト構成装置１から情報を受信しようとする際に、情報の受信が制限されるＷＥＢサイト構成装置を示す受信制限リストに基づいて、ＷＥＢサイト構成装置１からの情報の受信を制限する等の制御を行う。受信制限リストは、通信事業者サーバ３内の補助記憶装置に記憶されている。通信事業者サーバ３の物理的構成および機能的構成については、後述する。
【００２３】
保護者用携帯端末４は、ユーザ用携帯端末２の情報の受信を管理する端末である。保護者用携帯端末４は、通信事業者サーバ３との通信が可能な、例えば携帯電話機やＰＤＡやパソコンなどの端末装置である。ここでは、保護者用携帯端末４は、例えば、上記したユーザの保護者に利用される。保護者用携帯端末４の物理的構成および機能的構成については、後述する。
【００２４】
なお、通信事業者サーバ３は、保護者解除リストデータベースＤＢ１、サーバ解除リストデータベースＤＢ２、及び受信制限リストデータベースＤＢ３を有している。保護者解除リストデータベースＤＢ１は、上記の保護者によって受信制限が解除されたＷＥＢサイト構成装置のリストが格納されたデータベースである。また、サーバ解除リストデータベースＤＢ２は、上記の通信事業者によって受信制限が解除されたＷＥＢサイト構成装置のリストが格納されたデータベースである。更に、受信制限リストデータベースＤＢ３は、上記の保護者又は上記の通信事業者によって受信制限の継続が決定されたＷＥＢサイト構成装置のリストが格納されたデータベースである。
【００２５】
ここで、ユーザ用携帯端末２が、上記の受信制限リストに示された、情報の受信が制限されるＷＥＢサイト構成装置１にアクセスして情報を受信しようとする際に、このＷＥＢサイト構成装置１が、保護者解除リストデータベースＤＢ１又はサーバ解除リストデータベースＤＢ２が格納するリストに登録されていた場合、ユーザ用携帯端末２は、このＷＥＢサイト構成装置１へのアクセスが許可されて通信接続が可能となり、このＷＥＢサイト構成装置１からの情報の受信が可能となる。また、このＷＥＢサイト構成装置１が、受信制限リストデータベースＤＢ３が格納するリストに登録されていた場合、ユーザ用携帯端末２は、このＷＥＢサイト構成装置１に通信接続できない（即ち、アクセスブロックされた）ままの状態が継続される。
【００２６】
なお、ユーザ用携帯端末２が、上記の受信制限リストに示された、情報の受信が制限されるＷＥＢサイト構成装置１から情報を受信しようとする際に、このＷＥＢサイト構成装置１が、保護者解除リストデータベースＤＢ１が格納するリストにも、サーバ解除リストデータベースＤＢ２が格納するリストにも、受信制限リストデータベースＤＢ３が格納するリストにも登録されていない場合、通信事業者サーバ３は、情報の受信制限の解除を要求する要求信号をユーザ用携帯端末２から受信した旨を示す受信信号３０（例えば、電子メール）を、保護者用携帯端末４に送信する。受信信号３０には、このＷＥＢサイト構成装置１に関して調査された特徴情報が含まれている。特徴情報は、アクセス先のＷＥＢサイトの特徴に関する情報であり、例えば、ＷＥＢサイト名や、そのＷＥＢサイトのＵＲＬや、掲示板機能の有無や、有害キーワードの有無等に関する情報である。
【００２７】
ここで、保護者用携帯端末４を利用する保護者によって受信制限の可否が判断され、受信制限の解除が指示された場合、受信制限の解除と、このＷＥＢサイト構成装置１の保護者解除リストデータベースＤＢ１のリストへの登録が行われる。一方、保護者用携帯端末４から受信制限が指示された場合、受信制限の継続と、このＷＥＢサイト構成装置１の受信制限リストデータベースＤＢ３のリストへの登録が行われる。
【００２８】
引き続いて、ユーザ用携帯端末２、通信事業者サーバ３、及び保護者用携帯端末４について説明する。図２は、実施形態に係るユーザ用携帯端末２、通信事業者サーバ３、及び保護者用携帯端末４の機能構成を示す図である。また、図３は、実施形態に係る通信事業者サーバ３及びＷＥＢサイト構成装置１のハードウェア構成を示す図であり、図４は、実施形態に係るユーザ用携帯端末２及び保護者用携帯端末４のハードウェア構成を示す図である。
【００２９】
まず、通信事業者サーバ３について説明する。図３に示すように、通信事業者サーバ３は、ＣＰＵ３０１（Central Processing Unit）、主記憶装置であるＲＡＭ３０２（Random Access Memory）、及びＲＯＭ３０３（Read Only Memory）、通信を行うための通信モジュール３０４、並びにハードディスク等の補助記憶装置３０５等のハードウェアを備えるコンピュータとして構成される。これらの構成要素が動作することにより、以下に説明する各機能が発揮される。
【００３０】
また、図２に示すように、通信事業者サーバ３は、機能的な構成要素として、要求受信部３１（要求受信手段）と、問い合わせ部３２（問い合わせ手段）と、送信可否受信部３３（送信可否受信手段）と、ＷＥＢサイト分析部３４（特徴取得手段）と、信号送信部３５（信号送信手段）と、解除可否受信部３６（解除可否受信手段）と、解除制御部３７（解除制御手段）と、保護者解除リストデータベースＤＢ１と、サーバ解除リストデータベースＤＢ２と、受信制限リストデータベースＤＢ３と、顧客契約情報データベースＤＢ４と、を有している。
【００３１】
要求受信部３１は、ユーザ用携帯端末２が上記の受信制限リストに示されたＷＥＢサイト構成装置から情報を受信しようとする際に、要求信号をこのユーザ用携帯端末２から受信する部分である。要求信号は、この情報の受信制限の解除を要求するための信号である。
【００３２】
ここで、要求受信部３１は、後述の保護者解除リストデータベースＤＢ１及び顧客契約情報データベースＤＢ４にアクセスして、受信した要求信号の送信元であるユーザ用携帯端末２のユーザ及びその保護者の契約情報を確認するとともに、受信制限の解除が要求されている情報は、過去に上記の保護者によって受信制限が解除されたか否かを確認する。より詳しくは、ユーザ用携帯端末２を利用するユーザとこのユーザに対応付けられているその保護者を特定し、そのユーザ及び保護者と、通信事業者サーバ３を管理する通信事業者との間にこの受信制限の制御サービスの利用契約が締結されていることが確認され、且つ、その保護者によって過去に受信制限が解除されていないことが確認された場合に、問い合わせ部３２による次の処理が行われる。
【００３３】
なお、ユーザ用携帯端末２を利用するユーザと、保護者用携帯端末４を利用する保護者との間の、管理される側及び管理する側としての対応付けは、携帯端末の利用契約の締結時に、又はこの受信制限の制御サービスの申込み時に、通信事業者サーバ３を管理する通信事業者によって設定される。ここで、ユーザ用携帯端末２を利用するユーザが未成年であるためにフィルタリング（インターネットにおけるＷＥＢサイトを所定基準で評価して、この所定基準を満たさないＷＥＢサイトへのアクセスを不可能にすること）機能が利用されている場合で、且つ、このユーザの保護者もユーザと同一の通信事業者に対して同一の家族として契約している場合は、上記の通信事業者による設定を行うことなく自動的に、上記の対応付けが設定される。
【００３４】
問い合わせ部３２は、要求受信部３１が要求信号を受信した場合に、問い合わせ信号をこのユーザ用携帯端末２に送信する部分である。問い合わせ信号は、受信信号の保護者用携帯端末４への送信可否を問い合わせるための信号である。受信信号は、上記の要求信号を受信した旨を示すための信号である。
【００３５】
送信可否受信部３３は、上記の問い合わせ信号を受信したユーザ用携帯端末２から、送信可否信号を受信する部分である。送信可否信号は、受信信号の保護者用携帯端末４への送信可否を示すための信号である。なお、送信可否受信部３３は、上記の問い合わせ信号を受信したユーザ用携帯端末２から、上記の送信可否信号に加えて、伝達情報を受信することができる。伝達情報は、ユーザ用携帯端末２（のユーザ）から保護者用携帯端末４（を利用する保護者）に対して伝達されるメッセージ情報である。
【００３６】
ＷＥＢサイト分析部３４は、送信可否受信部３３が受信した送信可否信号が受信信号の保護者用携帯端末４への送信を指示する場合に、ユーザ用携帯端末２が上記の受信制限リストに示されたＷＥＢサイト構成装置から受信しようとする情報に関する特徴を、特徴情報として調査して取得する部分である。ＷＥＢサイト分析部３４は、サーバ解除リストデータベースＤＢ２及び受信制限リストデータベースＤＢ３にアクセスして、ユーザ用携帯端末２が情報を受信しようとするＷＥＢサイト構成装置がサーバ解除リストデータベースＤＢ２及び受信制限リストデータベースＤＢ３に登録されているか否かを検索し、登録されていない場合に、上記の特徴情報を取得する。
【００３７】
ここで、ＷＥＢサイト分析部３４が取得する特徴情報は、当該情報の受信制限の解除の可否を指示する解除可否信号を送信した他のＷＥＢサイト構成装置の数に対する、当該情報の受信制限の解除を指示する解除可否信号を送信した他のＷＥＢサイト構成装置の数の割合を、割合情報として含んでもよい。割合情報は、ＷＥＢサイト分析部３４が保護者解除リストデータベースＤＢ１及び顧客契約情報データベースＤＢ４にアクセスすることによって取得される。
【００３８】
なお、ＷＥＢサイト分析部３４が上記の特徴情報を取得する技術は、広く周知された慣用技術である。具体的には、例えば、ＷＥＢサイト分析部３４は、ユーザ用携帯端末２が情報を受信しようとするＷＥＢサイト構成装置１が公開するＷＥＢサイトのＵＲＬを用いて、このＵＲＬによって示されるサイトが有害サイトであるか否かを判断するのに必要な判断情報を出力し、この出力された判断情報に基づいて、上記の特徴情報を取得する。
【００３９】
信号送信部３５は、要求受信部３１が要求信号を受信した後に、送信可否受信部３３が受信した送信可否信号が受信信号の保護者用携帯端末４への送信を指示する場合に、この受信信号と、ＷＥＢサイト分析部３４が取得した特徴情報とを保護者用携帯端末４に送信する部分である。なお、信号送信部３５は、送信可否受信部３３が伝達情報を受信した場合、上記の受信信号及び特徴情報に加えて、伝達情報を保護者用携帯端末４に送信する。
【００４０】
解除可否受信部３６は、上記の受信信号を受信した保護者用携帯端末４から、解除可否信号を受信する部分である。解除可否信号は、情報の受信制限の解除可否を示す信号である。情報の受信制限の解除可否は、保護者用携帯端末４を利用する保護者によって決定され、この決定に基づいて、保護者用携帯端末４において解除可否信号が生成される。
【００４１】
解除制御部３７は、解除可否受信部３６が受信した解除可否信号が情報の受信制限の解除を指示する場合に、この情報の受信制限を解除する処理を行う部分である。受信制限の解除処理によって、ユーザ用携帯端末２は、ＷＥＢサイト構成装置１へのアクセスが許可されて通信接続が可能となり、このＷＥＢサイト構成装置１からの情報の受信が可能となる。また、解除制御部３７は、解除可否受信部３６が受信した解除可否信号が情報の受信制限を指示する場合に、この情報の受信制限を継続する処理を行う。受信制限の継続処理によって、ユーザ用携帯端末２は、ＷＥＢサイト構成装置１に通信接続できないままの状態が継続される。
【００４２】
保護者解除リストデータベースＤＢ１は、上記したように、上記の保護者によって受信制限が解除されたＷＥＢサイト構成装置のリストが格納されたデータベースである。
【００４３】
サーバ解除リストデータベースＤＢ２は、上記したように、上記の通信事業者によって受信制限が解除されたＷＥＢサイト構成装置のリストが格納されたデータベースである。
【００４４】
受信制限リストデータベースＤＢ３は、上記したように、上記の保護者又は上記の通信事業者によって受信制限の継続が決定されたＷＥＢサイト構成装置のリストが格納されたデータベースである。
【００４５】
顧客契約情報データベースＤＢ４は、通信事業者サーバ３を管理する通信事業者と、ユーザ用携帯端末２を利用するユーザ及びその保護者との間の契約情報が格納されたデータベースである。顧客契約情報データベースＤＢ４には、ユーザ用携帯端末２を利用するユーザと、保護者用携帯端末４を利用する保護者とが、管理される側及び管理する側として対応付けられて格納されている。
【００４６】
引き続いて、ユーザ用携帯端末２について説明する。図４に示すように、ユーザ用携帯端末２は、ＣＰＵ２０１、ＲＡＭ２０２、ＲＯＭ２０３、操作部２０４、無線通信部２０５、ディスプレイ２０６、アンテナ２０７等のハードウェアにより構成されている。これらの構成要素が動作することにより、以下に説明する各機能が発揮される。
【００４７】
また、図２に示すように、ユーザ用携帯端末２は、機能的な構成要素として、通信部２１と、入力受付部２２（入力受付手段）と、を有している。通信部２１は、要求送信部２３と、可否送信部２４（可否送信手段）と、を含んで構成されている。
【００４８】
要求送信部２３は、ユーザ用携帯端末２のユーザが上記の受信制限リストに示されたＷＥＢサイト構成装置から情報を受信しようとする際に、要求信号を通信事業者サーバ３に送信する部分である。要求信号は、上記したように、情報の受信制限の解除を要求するための信号である。
【００４９】
入力受付部２２は、通信部２１が通信事業者サーバ３から問い合わせ信号を受信した場合に、ユーザ用携帯端末２のユーザによる伝達情報の入力を受け付ける部分である。伝達情報は、ユーザ用携帯端末２のユーザから保護者用携帯端末４を利用する保護者に対して伝達されるメッセージ情報である。
【００５０】
可否送信部２４は、入力受付部２２に入力された伝達情報と、上記の送信可否信号とを、通信事業者サーバ３に送信する部分である。
【００５１】
引き続いて、保護者用携帯端末４について説明する。図４に示すように、保護者用携帯端末４は、ユーザ用携帯端末２と同様の構成を有しており、ＣＰＵ２０１、ＲＡＭ２０２、ＲＯＭ２０３、操作部２０４、無線通信部２０５、ディスプレイ２０６、アンテナ２０７等のハードウェアにより構成されている。これらの構成要素が動作することにより、以下に説明する各機能が発揮される。
【００５２】
また、図２に示すように、保護者用携帯端末４は、機能的な構成要素として、信号受信部４１と、解除可否送信部４２と、を含んで構成されている。
【００５３】
信号受信部４１は、通信事業者サーバ３から、上記の受信信号、特徴情報、及び伝達情報を受信する部分である。
【００５４】
解除可否送信部４２は、信号受信部４１が受信した上記の受信信号、特徴情報、及び伝達情報に基づいて、保護者用携帯端末４を利用する保護者によって判断及び決定された情報の受信制限の解除可否を示す解除可否信号を、通信事業者サーバ３に送信する部分である。
【００５５】
引き続いて、ＷＥＢサイト構成装置１と、ユーザ用携帯端末２と、通信事業者サーバ３と、保護者用携帯端末４との間で行われる処理について説明する。図５は、ＷＥＢサイト構成装置１と、ユーザ用携帯端末２と、通信事業者サーバ３と、保護者用携帯端末４との間で行われる処理を説明するためのシーケンス図である。また、図６は、ユーザ用携帯端末２で表示される画面Ｄ１の説明図であり、図７は、ユーザ用携帯端末２で表示される画面Ｄ２の説明図であり、図８は、保護者用携帯端末４で表示される画面Ｄ３の説明図であり、図９は、ユーザ用携帯端末２で表示される画面Ｄ４の説明図である。
【００５６】
図５に示すように、まず、ユーザ用携帯端末２を利用するユーザが、通信事業者サーバ３が記憶する受信制限リストに示されたＷＥＢサイト構成装置１から情報を受信しようとする際に、ＷＥＢサイト構成装置１へのアクセス（通信接続）を要求するアクセス信号が、ユーザ用携帯端末２から通信事業者サーバ３に送信され、要求受信部３１により受信される（ステップＳ０１、要求受信ステップ）。ここでは、ＷＥＢサイト構成装置１は、「ＡＡＡ」というＷＥＢサイト名のホームページをインターネットにおいて公開しているとする。
【００５７】
次に、通信事業者サーバ３の要求受信部３１が、保護者解除リストデータベースＤＢ１及び顧客契約情報データベースＤＢ４にアクセスして、受信制限の解除が要求されているＷＥＢサイト「ＡＡＡ」は、ユーザ用携帯端末２を利用するユーザの保護者によって過去に受信制限が解除されたか否かを確認する。即ち、保護者解除リストデータベースＤＢ１に、ＷＥＢサイト「ＡＡＡ」が記憶されていて存在するか否かが判断される（ステップＳ０２）。ここで、過去に上記の保護者によって受信制限が解除されており、保護者解除リストデータベースＤＢ１にＷＥＢサイト「ＡＡＡ」が記憶されている場合は、ＷＥＢサイト構成装置１とユーザ用携帯端末２との間での通信が開始される（ステップＳ０３）。
【００５８】
一方、過去に上記の保護者によって受信制限が解除されておらず、保護者解除リストデータベースＤＢ１にＷＥＢサイト「ＡＡＡ」が記憶されていない場合は、通信事業者サーバ３の問い合わせ部３２が、上記の問い合わせ信号をユーザ用携帯端末２に送信して、ＷＥＢサイト構成装置１へのアクセスがこの時点では許可されておらず不可能である旨を通知する（ステップＳ０４）。これにより、ユーザ用携帯端末２において、図６に示された画面Ｄ１が表示される（ステップＳ０５）。
【００５９】
なお、画面Ｄ１には、アクセスの許可を申請するか否かを問い合わせるメッセージと、ユーザ用携帯端末２のユーザから保護者用携帯端末４を利用する保護者に対して伝達されるメッセージ情報が入力される入力エリアＡ１と、アクセスの許可が申請される場合に押下される申請ボタンＢ１とが表示されている。ここでは、入力エリアＡ１に、ユーザ用携帯端末２のユーザにより入力された伝達情報（例えば、アクセスが必要な理由等のメッセージ情報）が入力されたとする。
【００６０】
ここで、ユーザ用携帯端末２のユーザがＷＥＢサイト「ＡＡＡ」へのアクセスの許可を申請するか否かが、ユーザ用携帯端末２において判定される（ステップＳ０６）。例えば所定時間内に、申請ボタンＢ１を押下するための指示入力がユーザ用携帯端末２において行われない場合は、アクセスの許可は申請されなかったと判定され、ユーザ用携帯端末２の可否送信部２４が、上記の受信信号を送信しない旨の送信可否信号を通信事業者サーバ３に送信して、ユーザ用携帯端末２において、図７に示された画面Ｄ２が表示され、ユーザ用携帯端末２における一連の処理は終了する（ステップＳ０７）。画面Ｄ２には、アクセスは許可されなかった旨を示すメッセージが表示されている。
【００６１】
一方、申請ボタンＢ１を押下するための指示入力がユーザ用携帯端末２において行われた場合は、アクセスの許可は申請されたと判定され、ユーザ用携帯端末２の可否送信部２４が、入力エリアＡ１に入力された伝達情報と、上記の受信信号の送信を指示する旨の送信可否信号とを通信事業者サーバ３に送信する。そして、通信事業者サーバ３のＷＥＢサイト分析部３４が、ＷＥＢサイト「ＡＡＡ」の特徴情報を取得する（ステップＳ０８）。
【００６２】
次に、通信事業者サーバ３の信号送信部３５が、ステップＳ０８で取得した特徴情報と、上記の入力エリアＡ１に入力された伝達情報と、上記の受信信号とを保護者用携帯端末４に送信する（ステップＳ０９、信号送信ステップ）。これにより、保護者用携帯端末４において、図８に示された画面Ｄ３が表示される（ステップＳ１０）。
【００６３】
画面Ｄ３には、アクセスを許可するか否かを問い合わせるメッセージと、上記の入力エリアＡ１に入力された伝達情報である「アクセス理由」と、ステップＳ０８で取得された特徴情報である「アクセス先ＷＥＢサイト情報」と、アクセスが許可される場合に押下される許可ボタンＢ２と、アクセスが許可されない場合に押下される不許可ボタンＢ３とが表示されている。なお、「アクセス理由」は画面Ｄ３のエリアＡ２に表示され、「アクセス先ＷＥＢサイト情報」は画面Ｄ３のエリアＡ３に表示されている。
【００６４】
例えば、「アクセス先ＷＥＢサイト情報」として、ＷＥＢサイトに関するＷＥＢサイト名、タイプ、分類、有害キーワード、評判、及び弊社コメントが含まれている。ここでは、ＷＥＢサイト名として「ＡＡＡ」が表示され、通信事業者サーバ３を管理する通信事業者がこのＷＥＢサイトを公認しているか非公認としているかを示すタイプとして「弊社非公認サイト」が表示されている。また、このＷＥＢサイトが有する各種機能の有無として「掲示板機能：有り」、「画像掲示板：有り」、及び「広告：有り」が表示されている。また、このＷＥＢサイトにおける有害キーワードの有無として「暴力ワード：小」、「性的ワード：無」、及び「健全性：９０％」が表示されている。また、通信事業者サーバ３を管理する通信事業者が契約する他の保護者により評価された結果の評判として「弊社では、９５％のお客様（保護者）が閲覧を許可しています。」が表示され、この通信事業者がこのＷＥＢサイトの健全性を総合的に評価した際のコメントとして「弊社公式サイトではありませんが、おおむね健全サイトといえます。」が表示されている。
【００６５】
なお、上記の評判である「弊社では、９５％のお客様（保護者）が閲覧を許可しています。」は、このＷＥＢサイトの受信制限の解除の可否を指示した他の保護者用携帯端末の総数（例えば、１０００台）に対する、このＷＥＢサイトの受信制限の解除を指示する解除可否信号を送信した他の保護者用携帯端末の数（ここでは９５０台）の割合が９５％であることを意味している。
【００６６】
次に、図５に示すように、保護者用携帯端末４を利用する保護者がＷＥＢサイト「ＡＡＡ」へのアクセスを許可して保護者解除リストデータベースＤＢ１に登録するか否かが、保護者用携帯端末４において判定される（ステップＳ１１）。この保護者は、上記した特徴情報と伝達情報とに基づいて、ユーザ用携帯端末２のユーザによるこのＷＥＢサイトへのアクセスを許可するか否かを判定する。
【００６７】
上記の許可ボタンＢ２を押下するための指示入力が保護者用携帯端末４において行われた場合は、アクセスは許可されたと判定され、保護者用携帯端末４の解除可否送信部４２が、受信制限の解除を指示する解除可否信号を通信事業者サーバ３に送信し、この解除可否信号は解除可否受信部３６により受信される（解除可否受信ステップ）。これにより、通信事業者サーバ３は、ＷＥＢサイト「ＡＡＡ」を保護者解除リストデータベースＤＢ１に登録する（ステップＳ１２）。そして、通信事業者サーバ３の解除制御部３７が、受信制限を解除する旨を示す解除信号をユーザ用携帯端末２に送信して受信制限の解除処理を行う（解除制御ステップ）ことにより、ＷＥＢサイト構成装置１とユーザ用携帯端末２との間での通信が開始され、通信事業者サーバ３における一連の処理は終了する（ステップＳ１３）。
【００６８】
ここで、上記の解除信号を受信したユーザ用携帯端末２において、図９に示された画面Ｄ４が表示され、ユーザ用携帯端末２における一連の処理は終了する（ステップＳ１４）。画面Ｄ４には、アクセスが許可された旨を示すメッセージが表示されている。
【００６９】
一方、上記の不許可ボタンＢ３を押下するための指示入力が保護者用携帯端末４において行われた場合は、アクセスは許可されなかったと判定され、保護者用携帯端末４の解除可否送信部４２が、受信制限の継続を指示する解除可否信号を通信事業者サーバ３に送信し、この解除可否信号は解除可否受信部３６により受信される（解除可否受信ステップ）。そして、通信事業者サーバ３の解除制御部３７が、受信制限を継続する旨を示す継続信号をユーザ用携帯端末２に送信して受信制限の継続処理を行う（解除制御ステップ）ことにより、ＷＥＢサイト構成装置１とユーザ用携帯端末２との間での通信は開始されないまま、通信事業者サーバ３における一連の処理は終了する（ステップＳ１５）。
【００７０】
ここで、上記の継続信号を受信したユーザ用携帯端末２において、図７に示された画面Ｄ２が表示され、ユーザ用携帯端末２における一連の処理は終了する（ステップＳ１６）。画面Ｄ２には、アクセスが許可されなかった旨を示すメッセージが表示されている。
【００７１】
上記したように、上記の受信制限システム１００では、まず、ユーザ用携帯端末２から要求受信部３１が要求信号を受信した場合に、受信信号を保護者用携帯端末４に信号送信部３５が送信し、受信信号を受信した保護者用携帯端末４から解除可否信号を解除可否受信部３６が受信する。ここで、解除可否信号が当該情報の受信制限の解除を指示する場合に当該情報の受信制限を解除制御部３７が解除する。一方、解除可否信号が当該情報の受信制限を指示する場合に当該情報の受信制限の継続を解除制御部３７が行う。
【００７２】
このように、ユーザ用携帯端末２から要求受信部３１が要求信号を受信した場合に、解除可否信号の指示内容によって、ユーザ用携帯端末２が外部（即ち、ＷＥＢサイト構成装置１）から取得しようとする情報の制限の実行可否が決定される。このため、ユーザ用携帯端末２から要求情報が送信されず要求受信部３１が要求信号を受信しない場合には、ユーザ用携帯端末２が外部から取得しようとする情報の制限の実行可否は判断されないことから、ユーザ用携帯端末２が外部から取得しようとする情報を制限する際の作業負担を軽減することができる。
【００７３】
また、ユーザ用携帯端末２から送信可否信号を送信可否受信部３３が受信し、送信可否信号が受信信号の送信を指示する場合に、当該受信信号を保護者用携帯端末４に信号送信部３５が送信する。このように、送信可否信号が受信信号の送信を指示する場合に、当該受信信号を保護者用携帯端末４に信号送信部３５が送信する。このため、送信可否信号が受信信号の送信を指示しない場合には、受信信号は保護者用携帯端末４に送信されず、ユーザ用携帯端末２が外部から取得しようとする情報の制限の実行可否は判断されないことから、ユーザ用携帯端末２が外部から取得しようとする情報を制限する際の作業負担を、より軽減することができる。
【００７４】
また、送信可否信号が受信信号の送信を指示する場合に、当該受信信号と、可否送信部２４によって送信された伝達情報とを保護者用携帯端末４に信号送信部３５が送信する。このため、送信可否信号が受信信号の送信を指示する場合に、当該受信信号だけでなく伝達情報が保護者用携帯端末４に送信される。このため、保護者用携帯端末４を利用する保護者は、この伝達情報の内容に基づいて、ユーザ用携帯端末２が外部から取得しようとする情報の制限の実行可否を判断することができる。
【００７５】
また、送信可否信号が受信信号の送信を指示する場合に、当該受信信号と特徴情報とを保護者用携帯端末４に信号送信部３５が送信する。このように、送信可否信号が受信信号の送信を指示する場合に、当該受信信号だけでなく特徴情報が保護者用携帯端末４に送信される。このため、保護者用携帯端末４を利用する保護者は、この特徴情報の内容に基づいて、ユーザ用携帯端末２が外部から取得しようとする情報の制限の実行可否を、より適切に判断することができる。この結果、有害サイトを誤って優良サイトと判断しないようにできるとともに、優良サイトを誤って有害サイトと判断しないようにできる。
【００７６】
また、送信可否信号が受信信号の送信を指示する場合に、当該受信信号だけでなく、上記の割合情報を含む特徴情報が保護者用携帯端末４に送信される。このため、保護者用携帯端末４を利用する保護者は、この割合情報の内容に基づいて、ユーザ用携帯端末２が外部から取得しようとする情報の制限の実行可否を、より適切に判断することができる。
【００７７】
なお、本発明は上記の実施形態に限定されるものではない。例えば、上記の実施形態では、通信装置としてＷＥＢサイト構成装置１が用いられているが、ユーザ用携帯端末２へ情報を送信することができる通信装置であれば特に限定されず、例えば、ＷＥＢサイト構成装置１の代わりに、ユーザ用携帯端末２に対して電子メール等の情報を送信することが可能なメール送信機能付携帯電話機でもよい。この場合、ＷＥＢサイト分析部３４は、ユーザ用携帯端末２がこのメール送信機能付携帯電話機から受信しようとする電子メール等の情報に関する特徴を、特徴情報として取得する。
【００７８】
また、上記の実施形態では、保護者用携帯端末４を利用する保護者一名に対して、ユーザ用携帯端末２を利用するユーザ一名が、管理する側及び管理される側として対応付けられているが、保護者用携帯端末４を利用する保護者一名に対して、複数のユーザ用携帯端末２のそれぞれを利用するユーザ複数名が対応付けられていてもよい。この場合、これら複数のユーザ用携帯端末２に共通の保護者解除リストデータベースＤＢ１を共用することにより、保護者用携帯端末４を利用する保護者が、同一のＷＥＢサイトに関する受信信号を複数のユーザ用携帯端末２から重複して受信する処理が不要となるため、ユーザ用携帯端末２が外部から取得しようとする情報を制限する際の作業負担を、より軽減することができる。
【００７９】
また、上記の実施形態では、送信可否信号が受信信号の保護者用携帯端末４への送信を指示する場合に、ＷＥＢサイト分析部３４が、ＷＥＢサイト構成装置から受信しようとする情報に関する特徴を特徴情報として取得しているが、ＷＥＢサイト分析部３４は、通信事業者サーバ３を管理する通信事業者や、ＷＥＢサイト検索会社やコンテンツ審査会社等によって予め特徴情報として既に分析された分析結果が格納されたデータベース内を検索することにより、特徴情報を取得してもよい。
【図面の簡単な説明】
【００８０】
【図１】実施形態に係る受信制限システムの一例について説明する説明図である。
【図２】実施形態に係るユーザ用携帯端末、通信事業者サーバ、及び保護者用携帯端末の機能構成を示す図である。
【図３】ＷＥＢサイト構成装置及び通信事業者サーバのハードウェア構成を示す図である。
【図４】ユーザ用携帯端末及び保護者用携帯端末のハードウェア構成を示す図である。
【図５】ＷＥＢサイト構成装置と、ユーザ用携帯端末と、通信事業者サーバと、保護者用携帯端末との間で行われる処理を説明するためのシーケンス図である。
【図６】ユーザ用携帯端末で表示される画面の説明図である。
【図７】ユーザ用携帯端末で表示される画面の説明図である。
【図８】保護者用携帯端末で表示される画面の説明図である。
【図９】ユーザ用携帯端末で表示される画面の説明図である。
【符号の説明】
【００８１】
１…ＷＥＢサイト構成装置、２…ユーザ用携帯端末、３…通信事業者サーバ、４…保護者用携帯端末、２１…通信部、２２…入力受付部、２３…要求送信部、２４…可否送信部、３０…受信信号、３１…要求受信部、３２…問い合わせ部、３３…送信可否受信部、３４…ＷＥＢサイト分析部、３５…信号送信部、３６…解除可否受信部、３７…解除制御部、４１…信号受信部、４２…解除可否送信部、１００…受信制限システム、２０４…操作部、２０５…無線通信部、２０６…ディスプレイ、２０７…アンテナ、３０４…通信モジュール、３０５…補助記憶装置、Ａ１〜Ａ３…エリア、Ｂ１〜Ｂ３…ボタン、Ｄ１〜Ｄ４…画面、ＤＢ１…保護者解除リストデータベース、ＤＢ２…サーバ解除リストデータベース、ＤＢ３…受信制限リストデータベース、ＤＢ４…顧客契約情報データベース。
【図１】
0005192276.tif 000002
【図２】
0005192276.tif 000003
【図３】
0005192276.tif 000004
【図４】
0005192276.tif 000005
【図５】
0005192276.tif 000006
【図６】
0005192276.tif 000007
【図７】
0005192276.tif 000008
【図８】
0005192276.tif 000009
【図９】
0005192276.tif 000010